(57)【特許請求の範囲】
【請求項１】
操作部を構成する中空な外装部材と、
前記外装部材の外面に設けられた、操作者が操作するための入力部と、
前記入力部に設けられ前記操作者の操作に応じて前記外装部材の内側に移動する軸部材と、
スイッチ部を有する基板と、
前記スイッチ部が前記軸部材と接触する前記外装部材の内側の所定の位置に、前記基板の一箇所を挟むことによって前記基板を固定するための固定手段と、
前記固定手段に対して螺合することで前記基板を挟み込むビスと、
前記外装部材の内面に設けられ、前記基板の側部と当接して前記基板の回転を規制するための当接部と、
を有することを特徴とする内視鏡。
【請求項２】
操作部を構成する中空な外装部材と、
前記外装部材の外面と内面とを連通し軸部材を挿通するための穴部に係合して設けられた、操作者が操作するための入力部と、
前記入力部の入力に応じて回路を開閉するためのスイッチ部を有する基板と、
前記スイッチ部が前記穴部の内面側開口に対向する前記外装部材の内側の所定の位置に、前記基板の一箇所を挟むことによって前記基板を固定するための固定手段と、
前記固定手段に対して螺合することで前記基板を挟み込むビスと、
前記外装部材の内面に設けられ、前記基板の側部と当接して前記基板の回転を規制するための当接部と、
を有することを特徴とする内視鏡。
【発明の詳細な説明】
【０００１】
【発明の属する技術分野】
本発明は、管腔内等の被検部に挿入する挿入部とこの挿入部の基端に設けられた操作部とを有し、該操作部に各種操作指示用の電気信号を入力する入力部を備えた内視鏡に関する。
【０００２】
【従来の技術】
従来より、内視鏡において、挿入部手元側の操作部に操作指示用の電気信号を入力する入力部としてスイッチを設け、内視鏡画像のフリーズ，レリーズなどの画像処理等、内視鏡に関する各種操作指示を行えるようにしたものが広く用いられている。
【０００３】
前記入力部の構成としては、操作部本体から外部に突設したスイッチ押圧部と、操作部本体の内部に固定されたスイッチ本体とを有してなるものが一般的であり、スイッチ押圧部を押すことにより、操作部本体内の基板上に固定されたスイッチ本体の接点部分を開閉して電気信号を送る構造になっている。
【０００４】
スイッチ本体を配設するための基板を固定する方法としては、操作部本体内に基板が挿入できる溝を設けてそこにスライドして嵌入する方法や、操作部本体にネジ止めするなどの方法がある。ネジ止めにより固定する場合には、基板が回転しないように少なくとも２本のネジで固定する構造が採用されている。
【０００５】
【発明が解決しようとする課題】
しかしながら、従来のスイッチ本体の固定方法では、いずれも組立性や配置スペースにおいて問題点があった。
【０００６】
前述した２本のネジで基板を固定する構造では、操作部内という狭い作業スペースで基板を固定するために、２本のネジ止め作業は困難であり、組立作業性が悪いという問題点がある。
【０００７】
そこで、スイッチ本体の固定のためにネジを用いず、基板を接着剤を使用して固定台に接着する方法を用いれば、狭いスペースでの複数のネジ固定といった困難な作業は行わなくて済むため、組立性は向上する。
【０００８】
しかし、接着剤を用いた固定方法では、十分な固定強度を確保するためには、接着面積を大きく確保しなければならない。そのため、基板自体の大きさが大きくなり、多くの配置スペースが必要となるため、操作部内のその他の内蔵物に影響を与えたりして、操作部自体の大きさが大きくなり、内視鏡の操作性に悪影響を与えてしまうおそれがある。また、接着剤が十分に乾燥するための乾燥時間が必要であるため、作業性についても時間的にみれば前述のネジ止めによる固定方法の場合と同様に手間がかかるという問題点がある。
【０００９】
本発明は、これらの事情に鑑みてなされたもので、操作部の入力部において、組立性が良く、操作部本体の内部スペースを有効に利用可能なスイッチの基板固定構造を有する内視鏡を提供することを目的としている。
【００１０】
【課題を解決するための手段】
本発明による第１の内視鏡は、操作部を構成する中空な外装部材と、前記外装部材の外面に設けられた、操作者が操作するための入力部と、前記入力部に設けられ前記操作者の操作に応じて前記外装部材の内側に移動する軸部材と、スイッチ部を有する基板と、前記スイッチ部が前記軸部材と接触する前記外装部材の内側の所定の位置に、前記基板の一箇所を挟むことによって前記基板を固定するための固定手段と、前記固定手段に対して螺合することで前記基板を挟み込むビスと、前記外装部材の内面に設けられ、前記基板の側部と当接して前記基板の回転を規制するための当接部と、を有することを特徴とする。
本発明による第２の内視鏡は、操作部を構成する中空な外装部材と、前記外装部材の外面と内面とを連通し軸部材を挿通するための穴部に係合して設けられた、操作者が操作するための入力部と、前記入力部の入力に応じて回路を開閉するためのスイッチ部を有する基板と、前記スイッチ部が前記穴部の内面側開口に対向する前記外装部材の内側の所定の位置に、前記基板の一箇所を挟むことによって前記基板を固定するための固定手段と、前記固定手段に対して螺合することで前記基板を挟み込むビスと、前記外装部材の内面に設けられ、前記基板の側部と当接して前記基板の回転を規制するための当接部と、を有することを特徴とする。
【００１１】
【発明の実施の形態】
以下、図面を参照して本発明の実施の形態を説明する。
図１ないし図８は本発明の第１の実施形態に係り、図１は内視鏡装置のシステム構成を示す説明図、図２は内視鏡の外観構成を示す斜視図、図３は内視鏡の操作部の外観構成を示す平面図、図４は操作部の内部構成を示す断面図、図５は把持部補強部材の規制穴付近の構成を拡大して示した断面図、図６は第１及び第２の画像制御用釦の取付部の構成を示す断面図、図７は第１及び第２の画像制御用釦の取付部を下方から見た平面図、図８は押圧部固定部材の部品構成を示す説明図である。
【００１２】
図１に示すように、本実施形態の内視鏡１は、体腔内等の被検部位に挿入される細長の挿入部２と、この挿入部２の基端側の端部に形成された操作部３と、この操作部３の側部から外部に延出されたユニバーサルコード４とを有し、このユニバーサルコード４の末端にはコネクタ５が設けられて構成されている。そして、この内視鏡１を基にして内視鏡システムが構成されている。
【００１３】
前記ユニバーサルコード４は、内視鏡１に照明光を供給する光源装置６と、内視鏡１に設けられた撮像装置を制御して得られた画像信号を処理するコントロールユニット７とに接続されており、挿入部２の先端部内に設けられた図示しない固体撮像素子、例えばＣＣＤにより撮像された観察像の電気信号がコントロールユニット７へ送られ、信号処理が行われるようになっている。また、コントロールユニット７には、信号処理して得られた画像を表示するモニタ８と、前記画像をプリントアウトするビデオプリンタ９と、前記画像を記録するＶＴＲ装置１０とが接続されている。さらに、内視鏡１の操作部３には、先端部から挿入部２内を挿通したチャンネルに連通するよう吸引装置１１が接続されており、前記チャンネルを介して体液等を吸引できるようになっている。
【００１４】
図２及び図３を参照して内視鏡１の構成を説明する。挿入部２は、先端に設けられた先端部１２と、この先端部１２の後部に設けられた湾曲自在の湾曲部１４と、この湾曲部１４の後部に設けられた長尺で可撓性を有する軟性部１５とが連設されて構成されている。
【００１５】
操作部３の挿入部２側には、術者が把持する把持部１６が設けられ、操作部３の側面には湾曲部１４を湾曲操作するための湾曲操作レバー１７が設けられており、他方の側面にはユニバーサルコード４が延出している。
【００１６】
さらに、図３に示す操作部３の長手方向の中心軸１８上には、吸引操作を行うための吸引釦１９が設けられている。吸引釦１９の側部には、前記吸引装置１１にチューブを介して接続するための吸引口金２１が突設されている。吸引釦１９を操作部３から取り外すときは、この吸引口金２１を把持して吸引釦１９を回転させることによって操作部からの着脱を行う。
【００１７】
また、操作部３の吸引釦１９の下方側には、コントロールユニット７に対して画像の制御指示を行う第１の画像制御用釦２２及び第２の画像制御用釦２３が中心軸１８に対して直交し、且つ平行に並べられて設けられている。これらの第１及び第２の画像制御用釦２２，２３は、術者の把持手の人差し指で押し易い位置に配置されている。
【００１８】
さらに、操作部３の挿入部２が延出している側とは反対側の他端には、釦台２６が設けられており、その釦台２６の湾曲操作レバー１７が位置する面に沿った釦配置面２７に、第３の画像制御用釦２４及び第４の画像制御用釦２５が中心軸１８に対して左右対称に設けられている。この第３及び第４の画像制御用釦２４，２５が設けられている釦配置面２７は、術者の把持手の親指が第３及び第４の画像制御用釦２４，２５を押し易いように操作部長手方向に対して１５°〜４５°の範囲で角度をなして形成されている。
【００１９】
このように、第１ないし第４の画像制御用釦２２〜２５を配置することにより、術者は親指と人差し指の２本の指で４つの画像制御用釦を容易に操作することが可能である。
【００２０】
また、前記第１の画像制御用釦２２と前記吸引釦１９の吸引口金２１との間の画像制御用釦２２に隣接する位置には、吸引釦１９の取り外し時に吸引口金２１が第１の画像制御用釦２２に干渉しないような凸状の規制部材２８が設けられている。
【００２１】
図４に操作部３の長手方向の縦断面（図３のＡ−Ａ断面）を示す。操作部３には、前述した第１ないし第４の画像制御用釦２２，２３，２４，２５が設けられており、操作部３内のそれぞれの画像制御用釦の押圧方向延長上に、電気的なスイッチからなるスイッチ本体２９，３０が配置されている。また、図示しない配線がそれぞれのスイッチ本体２９，３０に接続されており、ユニバーサルコード４内を通りコネクタ５を介してコントロールユニット７と接続されるようになっている。
【００２２】
また、操作部３内には金属線を縒って形成された湾曲ワイヤ３１が挿通されており、湾曲部１４を湾曲させるための操作部３内に設けられた図示しない湾曲機構と挿入部２の湾曲部１４とを結んでいる。把持部１６の内部には、長手方向と垂直に把持部補強部材３２が設けられており、湾曲ワイヤ３１がこの把持部補強部材３２に形成された規制穴３３に挿通し、規制穴３３によって把持部１６内において規制されている。なお、湾曲ワイヤ３１が挿通する規制穴３３の前後にはコイル状のワイヤ保護部材３４が設けられており、湾曲ワイヤ３１はこのワイヤ保護部材３４内を挿通されて保護されている。
【００２３】
規制穴３３の内面には、図５に示すように、ワイヤ保護部材３４のコイルピッチと同じピッチにネジ部が螺刻されている。ワイヤ保護部材３４を固定する際には、ワイヤ保護部材３４を規制穴３３に螺合させて仮止めを行った後、接着等によって固定する。
【００２４】
また、操作部３内には、前記吸引釦１９が取り付けられるチャンネル口に連通したチャンネル１３が設けられ、挿入部２内を通り先端部１２まで延設されている。
【００２５】
図６及び図７を基に第１及び第２の画像制御用釦２２，２３に対応するスイッチ本体２９の固定部の構造を説明する。図６は画像制御用釦２２，２３及びスイッチ本体２９の固定部の断面図（図４のＢ−Ｂ断面）、図７はスイッチ本体２９の固定部を下方（図６のＣ方向）から見た平面図である。
【００２６】
第１及び第２の画像制御用釦２２，２３は、弾性体からなる押圧部３５と、この押圧部３５に連結して固定され下方に突出した釦軸３６とから構成されている。なお、押圧部３５の一方（図では第１の画像制御用釦２２側）に凸部を設けることにより、第１の画像制御用釦２２と第２の画像制御用釦２３とを目で確認することなく触覚だけで容易に識別することができる。
【００２７】
前記釦軸３６の外周には、略円筒状の押圧部固定部材３８が設けられ、外装部材３７に嵌合しており、押圧部３５の下側の部分を操作部３の外装部材３７と密着するように水密的に圧接している。押圧部固定部材３８の下端部には、外装部材３７の内側に突き出た部分の外周部に、釦固定部材４０と螺合するネジ部が刻設されている。
【００２８】
押圧部固定部材３８は、図８に示すように、外装部材３７に対して回転防止のために、外周面に面取り部３９が形成されている。図８において、（ａ）は押圧部固定部材３８の斜視図、（ｂ）は（ａ）のＤ−Ｄ線断面図である。また、押圧部固定部材３８の上端面は、図６に示すように、押圧部３５が押圧方向に対して斜め方向または横方向の力が加わっても、押圧部３５の下部がめくれることのないように、外装部材３７の外周面より低くなるよう配置されている。そして、この押圧部固定部材３８の上端面には、押圧部固定部材３８を交換で着脱する際に冶工具を取り付けるための冶工具固定穴４８が設けられている。
【００２９】
押圧部固定部材３８下端のネジ部には、釦固定部材４０が螺合しており、押圧部固定部材３８との間で外装部材３７と薄い板状の接続板４１とを挟み込んだ状態で固定されている。この釦固定部材４０の内周面には、前記釦軸３６の外径より僅かに大きい内径を有し、釦軸３６の水平方向のブレを規制する釦軸案内部４２が内側に突出して設けられている。
【００３０】
２つの釦固定部材４０の間には、スイッチ本体２９を搭載した基板４５を固定するための接続部材４３と基板固定部材４４とが設けられている。これらの接続部材４３と基板固定部材４４は、前記釦固定部材４０を押圧部固定部材３８に組み付け易いように、２体に分かれて構成されている。接続部材４３は、接続板４１とビス４７とで外装部材３７に懸吊固定されている。接続部材４３のみを取付固定した状態で、釦固定部材４０を組み付けるようにすれば、基板固定用の部材が大きく突出しないため、取り付け作業が良好である。
【００３１】
基板４５には、前記２つの釦軸３６の押圧方向延長上の位置に対向して、それぞれスイッチ本体２９が固定されており、基板４５と基板固定部材４４とが１本のビス４６で連結固定されている。そして、基板４５を保持した基板固定部材４４が、接続部材４３に対して前記ビス４６で懸吊固定されている。このとき、基板４５の一辺は、図７に示すように外装部材３７の内面に接するように配設されている。なお、前記ビス４６による固定は、樹脂製のピンを圧入固定する方法でも代替することができる。
【００３２】
押圧部３５等が壊れて交換が必要になった場合は、押圧部３５の頭部を破損して中の押圧部固定部材３８の上面を露出させ、その露出面に設けられた冶工具固定穴４８に冶工具を差し込んで固定し、外装部材３７の内側から釦固定部材４０を回転させることによって、押圧部固定部材３８を取り外す。これにより、外装部材３７を傷つけること無く、押圧部固定部材３８を外装部材３７から取り外し、押圧部３５を取り除くことができる。
【００３３】
図４に戻り、前記第３及び第４の画像制御用釦２４，２５に対応するスイッチ本体３０は、基板５０上に実装されており、この基板５０は基板固定台４９に対して図示しないビスで固定されている。また、基板固定台４９は、前記釦台２６と外装部材３７を挟み込むように、操作部３内部にビスで固定されている。
【００３４】
前記構成において、組立時に第１及び第２の画像制御用釦２２，２３に対応するスイッチ本体２９を固定する場合には、スイッチ本体２９が実装された基板４５を１本のビス４６で操作部３の外装部材３７に対して固定し、基板４５の一辺を外装部材３７の内面に接合させて回転を防止する。
【００３５】
使用者が操作部３において画像の制御指示を行うには、人差し指等で第１または第２の画像制御用釦２２，２３を押圧する。これにより、押圧部３５が下方に押されて釦軸３６がスイッチ本体２９を押圧し、スイッチ本体２９がオンオフしてスイッチ本体２９より電気的なスイッチ制御信号がコントロールユニット７へ送られる。第１または第２の画像制御用釦２２，２３の押圧を止めると、弾性体である押圧部３５の弾力によって、釦軸３６がスイッチ２９から離れ、スイッチ制御信号の出力が停止する。
【００３６】
以上説明したように、本実施形態の構成によれば、操作部３内にスイッチ本体２９が実装された基板４５を固定する場合に、１本のビス４６で固定するだけで基板４５が回転することなく強固に固定することができるため、基板４５を取り付ける際の作業性を向上させることができる。このとき、取付部において多くのスペースを必要としないため、操作部本体の内部スペースを有効に利用可能となる。
【００３７】
次に、図９を基に本発明の第２の実施形態を説明する。図９は第２の実施形態に係る内視鏡の操作部の内部構成を示す断面図である。
【００３８】
第２の実施形態では、スイッチ本体２９が実装された基板４５の近傍において外装部材３７の内面から突起部５１が突出しており、基板４５の一部の上面と突起部５１とが圧接している。その他の部分の構成は第１の実施形態と同様であり、説明を省略する。
【００３９】
組立時に第１及び第２の画像制御用釦２２，２３に対応するスイッチ本体２９を固定する場合には、第１の実施形態と同様にして電気的なスイッチ本体２９が実装された基板４５を１本のビス４６で下方から外装部材３７に対して固定する。これにより、基板４５の外装部材３７内面に接合している縁部の上面が突起部５１に圧接し、基板４５が強固に固定される。
【００４０】
本実施例の構成によれば、第１の実施形態の効果に加えて、外装部材３７に内設された突起部５１に基板４５を圧接して固定することによって、より強固で確実な基板４５の固定を実現できる。
【００４１】
［付記］
（１）  体腔内に挿入される挿入部と、この挿入部の基端側に設けられた操作部とを有し、この操作部の本体に各種操作指示用の電気信号を入力する入力部を備えた内視鏡において、
前記入力部は、前記操作部本体の外装部材より外側に突設されたスイッチ押圧部と、スイッチ本体を搭載し、前記スイッチ押圧部に対応して操作部内部に設けられた基板と、を有して構成され、
前記基板の少なくとも一辺が前記外装部材の内面に当接すると共に、前記基板を前記外装部材に固定する一つの固定手段を有することを特徴とする内視鏡。
【００４２】
（２）  前記操作部本体の外装部材の内面に、前記基板の上下方向の動きを規制する規制手段を設けたことを特徴とする付記１に記載の内視鏡。
【００４３】
（３）  前記基板は、前記操作部本体の外装部材に対して接続部材を介して懸吊固定されることを特徴とする付記１に記載の内視鏡。
【００４４】
（４）  前記固定手段は、前記基板を前記操作部本体の外装部材に対して固定する１本のネジを有してなることを特徴とする付記１に記載の内視鏡。
【００４５】
【発明の効果】
以上説明したように本発明によれば、操作部の入力部において、組立性が良く、操作部本体の内部スペースを有効に利用可能なスイッチの基板固定構造を有する内視鏡を提供できる効果がある。
【図面の簡単な説明】
【図１】本発明の実施形態に係る内視鏡装置のシステム構成を示す説明図
【図２】内視鏡の外観構成を示す斜視図
【図３】内視鏡の操作部の外観構成を示す平面図
【図４】第１の実施形態に係る内視鏡の操作部の内部構成を示す断面図
【図５】把持部補強部材の規制穴付近の構成を拡大して示した断面図
【図６】第１及び第２の画像制御用釦の取付部の構成を示す断面図
【図７】第１及び第２の画像制御用釦の取付部を下方から見た平面図
【図８】押圧部固定部材の部品構成を示す説明図
【図９】第２の実施形態に係る内視鏡の操作部の内部構成を示す断面図
【符号の説明】
１…内視鏡
３…操作部
１６…把持部
２２…第１の画像制御用釦
２３…第２の画像制御用釦
２９，３０…スイッチ本体
３５…押圧部
３６…釦軸
３７…外装部材
３８…押圧部固定部材
４０…釦固定部材
４３…接続部材
４４…基板固定部材
４５…基板
４６…ビス
【図１】
0003631314.tif 000002
【図２】
0003631314.tif 000003
【図３】
0003631314.tif 000004
【図４】
0003631314.tif 000005
【図５】
0003631314.tif 000006
【図６】
0003631314.tif 000007
【図７】
0003631314.tif 000008
【図８】
0003631314.tif 000009
【図９】
0003631314.tif 000010